(57)【特許請求の範囲】
【請求項１】
少なくとも第１の光ディスクと第２の光ディスクにアクセスを行う光ピックアップ装置であって、
第１の対物レンズと、該第１の対物レンズと前記第１の光ディスクとの距離を一定に保つ第１のフォーカシング機構を有する第１のフォーカシング手段と、
第２の対物レンズと、該第２の対物レンズと前記第２の光ディスクとの距離を一定に保ち、第１のフォーカシング機構の引込範囲よりも大きい引き込み範囲を持つ第２のフォーカシング機構を有する第２のフォーカシング手段と、を有し、
自然状態で、前記第１の対物レンズと前記光ディスクの間の距離と、前記第２の対物レンズと前記光ディスクの間の距離とが等しく、前記第１の対物レンズまたは前記第１のフォーカシング手段を光ディスクと接触しない位置に配置した状態であり、
前記第１の対物レンズと前記光ディスクとの相対距離を変化させるために、前記第１の対物レンズをフォーカシング方向に粗動変位させる粗動変位機構と、フォーカシングのために微動変位させる微動変位機構とを有し、
前記第１の対物レンズまたは前記第１のフォーカシング手段を光ディスクと接触しない位置に配置した状態のままで前記第２のフォーカシング手段により光ディスクが前記第１の光ディスクかどうかを判別し、
前記光ディスクが前記第１の光ディスクだった場合に、前記第１の対物レンズまたは前記第１のフォーカシング手段を前記第１の光ディスクに近づけてアクセスを行う光ピックアップ装置。
【請求項２】
請求項１記載の光ピックアップ装置において、
前記自然状態は、前記第１の対物レンズが前記第１のフォーカシング機構による駆動力を受けておらず、前記第２の対物レンズが前記第２のフォーカシング機構による駆動力を受けていない状態であることを特徴とする光ピックアップ装置。
【請求項３】
請求項１または２記載の光ピックップ装置を用い、少なくとも前記第１の光ディスクと前記第２の光ディスクに対し、情報の記録・再生・消去の１以上を行うことを特徴とする光情報処理装置。
【請求項４】
少なくとも第１の光ディスクと第２の光ディスクにアクセスを行う光ピックアップ装置であって、
第１の対物レンズと、該第１の対物レンズと前記第１の光ディスクとの距離を一定に保つ第１のフォーカシング機構を有する第１のフォーカシング手段と、
第２の対物レンズと、該第２の対物レンズと前記第２の光ディスクとの距離を一定に保ち、第１のフォーカシング機構の引込範囲よりも大きい引き込み範囲を持つ第２のフォーカシング機構を有する第２のフォーカシング手段と、を有し、
自然状態で、前記第１の対物レンズと前記光ディスクの間の距離と、前記第２の対物レンズと前記光ディスクの間の距離とが等しく、前記第１の対物レンズまたは前記第１のフォーカシング手段を光ディスクと接触しない位置に配置した状態であり、
前記第１の対物レンズと前記光ディスクとの相対距離を変化させるために、前記第１の対物レンズをフォーカシング方向に粗動変位させる粗動変位機構と、フォーカシングのために微動変位させる微動変位機構とを有し、
前記第１の対物レンズまたは前記第１のフォーカシング手段を光ディスクと接触しない位置に配置した状態のままで前記第２のフォーカシング手段により光ディスクが前記第１の光ディスクかどうかを判別し、
前記光ディスクが前記第１の光ディスクだった場合に、前記第１の対物レンズまたは前記第１のフォーカシング手段を前記第１の光ディスクに近づけてアクセスを行う光ピックアップ装置を用い、少なくとも前記第１の光ディスクと前記第２の光ディスクに対して情報の記録・再生・消去の１以上を行う光情報処理装置であって、
１以上のフォーカシング手段と光ディスクとの相対距離を変化させる変位機構として、光ピックアップ全体と光ディスク保持機構との、フォーカシング方向の相対的な距離を変化させるものを有することを特徴とする光情報処理装置。
【発明の詳細な説明】
【０００１】
【発明の属する技術分野】
この発明は、光ピックアップ装置および光情報処理装置に関する。
【０００２】
【従来の技術】
光ディスクとして、従来からのＣＤ（コンパクトディスク）に加え、記録密度のより高いＤＶＤ（デジタルビデオディスク）が実用化され、記録密度を更に高めた次世代の高記録密度を持った光ディスクの実現が意図されている。
【０００３】
記憶容量を上げた次世代光ディスクが登場した場合、その光ディスクに対して記録・再生を行う「ドライブ装置」は、今までの光ディスクであるＤＶＤやＣＤに対しても記録・再生を行えることが好ましく、ＤＶＤの次世代の光ディスクが登場するとき、そのドライブ装置には、ＤＶＤやＣＤに対するドライブ機能も要求されると考えられる。
【０００４】
高記録密度化を実現するオーソドックスな方法は、光ディスクに記録・再生を行う光スポットのスポット径を微小化することである。スポット径の微小化には、記録波長を短くする方法や、光スポットを集光する対物レンズの開口数（以下、ＮＡと言う。）を大きく方法や、記録波長を短くすると共にＮＡを大きくする方法が考えられる。
【０００５】
一般に、対物レンズのＮＡは、対物レンズの有効半径：ｒに比例し、焦点距離：ｆに反比例する。従って、対物レンズの高ＮＡ化を実現した場合、レンズ径を一定として考えると、焦点距離：ｆは短くなり、その結果、光ディスクと対物レンズ間の作動距離（Working Distance  以下、ＷＤという。）が短くなる。
【０００６】
次世代の更なる高記録密度の光ディスクが登場し、これと従来のＣＤ、ＤＶＤに対し同一のドライブ装置で記録・再生する場合に考えられるのは、今までの光ディスク（ＣＤ、ＤＶＤ）に対応する従来の対物レンズと、高記録密度用の高ＮＡの対物レンズとを有し、従来の光ディスクにアクセスする場合は従来の対物レンズを用い、高記録密度の光ディスクにアクセスする場合は高ＮＡの対物レンズを用いる構成であるが、高ＮＡの対物レンズはＷＤが短いため、従来の光ディスクにアクセスしているとき、高ＮＡの対物レンズがそこに存在するだけで従来の光ディスクに衝突する可能性が出てくる。
【０００７】
【発明が解決しようとする課題】
作動距離が大きく（例えば０．５ｍｍ以上）異なる対物レンズを複数有する光ピックアップ装置において、ある対物レンズで対応する光ディスクにアクセスしているとき、他の対物レンズやレンズホルダが光ディスクに衝突するのを回避し、光ディスクや対物レンズを傷つけることのない信頼性の高い光ピックアップ装置を実現することを課題とする。
【０００８】
また、光ディスクや対物レンズを傷つけることのない信頼性の高い光情報処理装置（ドライブ装置）の実現を課題とする。
【０００９】
【課題を解決するための手段】
請求項１記載の光ピックアップ装置は「複数のフォーカシング手段を有し、１以上のフォーカシング手段と光ディスクとの相対距離を変化させる変位機構を有する光ピックアップ装置」である。
【００１０】
請求項１記載の光ピックアップ装置は、第１および第２のフォーカシング手段を有する。
「第１のフォーカシング手段」は、第１の対物レンズと、第１のフォーカシング機構とを有する。
「第１のフォーカシング機構」は、第１の対物レンズと第１の光ディスクとの距離を一定に保つための機構である。「第１の光ディスク」は、第１の対物レンズを使用してアクセス可能な１種以上の光ディスクである。
【００１１】
「第２のフォーカシング手段」は、第２の対物レンズと、第２のフォーカシング機構とを有する。
「第２のフォーカシング機構」は、第２の対物レンズと第２の光ディスクとの距離を一定に保つための機構である。「第２の光ディスク」は、第２の対物レンズを使用してアクセス可能な１種以上の光ディスクである。
【００１２】
第２のフォーカシング機構の引込範囲は第１のフォーカシング機構の引込範囲よりも大きく、第２の対物レンズが第２の光ディスクにアクセスするとき、第１の対物レンズまたは第１のフォーカシング手段は「第２の光ディスクと接触しない位置」に配置される。
【００１３】
請求項１記載の光ピックアップ装置は、自然状態で「第１の対物レンズと光ディスクの間の距離と、第２の対物レンズと光ディスクの間の距離が等しい」。「自然状態」は、フォーカシング機構による駆動力を受けていない状態である（請求項２）。
【００１４】
請求項１記載の光ピックアップ装置は、第１の対物レンズと光ディスクとの相対距離を変化させるために「第１の対物レンズをフォーカシング方向に粗動変位させる粗動変位機構と、フォーカシングのために微動変位させる微動変位機構と」を有する。
【００１５】
請求項３記載の光情報処理装置は、上記請求項１または２記載の光ピックップ装置を用い、少なくとも前記第１の光ディスクと前記第２の光ディスクに対し、情報の記録・再生・消去の１以上を行うことを特徴とする。
【００１６】
請求項４記載の光情報処理装置は、少なくとも第１の光ディスクと第２の光ディスクにアクセスを行う光ピックアップ装置であって、第１の対物レンズと、該第１の対物レンズと前記第１の光ディスクとの距離を一定に保つ第１のフォーカシング機構を有する第１のフォーカシング手段と、第２の対物レンズと、該第２の対物レンズと前記第２の光ディスクとの距離を一定に保ち、第１のフォーカシング機構の引込範囲よりも大きい引き込み範囲を持つ第２のフォーカシング機構を有する第２のフォーカシング手段と、を有し、自然状態で、前記第１の対物レンズと前記光ディスクの間の距離と、前記第２の対物レンズと前記光ディスクの間の距離とが等しく、前記第１の対物レンズまたは前記第１のフォーカシング手段を光ディスクと接触しない位置に配置した状態であり、前記第１の対物レンズと前記光ディスクとの相対距離を変化させるために、前記第１の対物レンズをフォーカシング方向に粗動変位させる粗動変位機構と、フォーカシングのために微動変位させる微動変位機構とを有し、前記第１の対物レンズまたは前記第１のフォーカシング手段を光ディスクと接触しない位置に配置した状態のままで前記第２のフォーカシング手段により光ディスクが前記第１の光ディスクかどうかを判別し、前記光ディスクが前記第１の光ディスクだった場合に、前記第１の対物レンズまたは前記第１のフォーカシング手段を前記第１の光ディスクに近づけてアクセスを行う光ピックアップ装置を用い、少なくとも前記第１の光ディスクと前記第２の光ディスクに対して情報の記録・再生・消去の１以上を行う光情報処理装置であって、１以上のフォーカシング手段と光ディスクとの相対距離を変化させる変位機構として、光ピックアップ全体と光ディスク保持機構とのフォーカシング方向の相対的な距離を変化させる機構を有することを特徴とする。
【００１７】
【発明の実施の形態】
図１は光ピックアップ装置の実施の１形態を示している。図の繁雑を避けるため、基本的な光学配置のみを略図的に示している。具体的な光学配置としては従来から知られた各種のものを適宜に利用できる。
【００１８】
図において、符号Ｄ１およびＤ２は、第１および第２の光ディスクを示している。符号Ｆ１で示す「第１のフォーカシング手段」は、第１の対物レンズＯＬ１と、「第１の対物レンズＯＬ１と第１の光ディスクＤ１との距離を一定に保つ第１のフォーカシング機構（図示されず）」を有する。
【００１９】
符号Ｆ２で示す「第２のフォーカシング手段」は、第２の対物レンズＯＬ２と、「第２の対物レンズＯＬ２と第２の光ディスクＤ２との距離を一定に保つ第２のフォーカシング機構（図示されず）」を有する。
【００２０】
第１、第２のフォーカシング機構としては、従来から知られた適宜のものを利用できる。
第２の対物レンズＯＬ２のＷＤは、第１の対物レンズＯＬ１のＷＤに比して大きく、これに応じて、第２のフォーカシング手段Ｆ２に用いられる第２のフォーカシング機構の引込範囲は、第１のフォーカシング手段Ｆ１に用いられる第１のフォーカシング機構の引込範囲よりも大きい。
【００２１】
なお、フォーカシング手段は、対物レンズ、フォーカシング機構のほか、レンズ鏡筒やこれらを収納したケーシング等の全体を呼称する。
【００２２】
第１の光ディスクＤ１にアクセスする（記録・再生・消去の何れかを行う）ときには半導体レーザＯＲ１が駆動される。放射された光束はコリメートレンズＣ１で平行光束化され、偏光ビームスプリッタＰＢＳ１により対物レンズＯＬ１側ヘ反射され、１／４波長板ＷＰ１を透過し、対物レンズＯＬ１により第１の光ディスクＤ１の記録面上に光スポットとして集光する。
【００２３】
記録面による反射光は戻り光束となり、対物レンズＯＬ１を透過し、１／４波長板ＷＰ１を介して偏光ビームスプリッタＰＢＳ１に戻り、これを透過して検出レンズＬ１により光検出素子ＰＤ１に入射して各種信号（ＲＦ信号、フォーカシング信号、トラキング信号）を発生させる。
【００２４】
第２の光ディスクＤ２にアクセスする（記録・再生・消去の何れかを行う）ときには半導体レーザＯＲ２が駆動される。放射された光束は偏光ホログラムＨ２を透過し、１／４波長板ＷＰ２を介して、対物レンズＯＬ２により第２の光ディスクＤ２の記録面上に光スポットとして集光する。
【００２５】
記録面による反射光は戻り光束となり、対物レンズＯＬ２を透過し、１／４波長板ＷＰ２を介して偏光ホログラムＨ２により回折されて光検出素子ＰＤ２に入射して上記と同様の各種信号を発生させる。
【００２６】
図１（ａ）において、符号１０は光ピックアップ装置のハウジングを示す。
【００２７】
図１（ｂ）に示すように、自然状態では、第１の対物レンズＯＬ１と光ディスクＤ１の間の距離と、第２の対物レンズＯＬ２と光ディスクＤ２の間の距離が略等しい（請求項１）。光ディスクＤ２に対してアクセスするときは、図１（ｂ）の状態において、対物レンズＯＬ２を第２のフォーカシング機構によりフォーカシング制御する。対物レンズＯＬ２のＷＤは大きく、第２のフォーカシング機構の引込範囲は大きいが、このとき第１の対物レンズＯＬ１を含む第１のフォーカシング手段Ｆ１は、光ディスクＤ２から十分に離れた位置（第２の光ディスクと接触しない位置）に配置されている（請求項１）ので、第１のフォーカシング手段Ｆ１が光ディスクＤ２に衝突することは無い。
【００２８】
第１の光ディスクＤ１にアクセスするときは、図１（ｃ）に示すように、公知の適宜の変位手段（図示されず）により、第１のフォーカシング手段Ｆ１がフォーカシング方向へ変位させられて光ディスクＤ１に近づき、対物レンズＯＬ１のＷＤでフォーカシング制御が可能に成るようにされる。そしてこの状態でアクセスが行なわれる。
【００２９】
図２は、上記実施の形態の変形例を示している。
自然状態では、第１の対物レンズＯＬ１と光ディスクＤ１の間の距離と、第２の対物レンズＯＬ２と光ディスクＤ２の間の距離が略等しい（請求項１）。
第１の対物レンズＯＬ１と光ディスクＤ１との相対距離を変化させるために、対物レンズＯＬ１をフォーカシング方向に粗動変位させる粗動変位機構（アクチュエータＡＣと粗動信号発生回路ＫＳで構成される）と、フォーカシングのために微動変位させる微動変位機構（アクチュエータＡＣと微動信号発生回路ＫＢで構成される）とを有する（請求項１）。
【００３０】
引込範囲の広い第２の対物レンズＯＬ２が第２の光ディスクＤ２にアクセスする場合や待機状態のときは、引込範囲の狭い第１の対物レンズＯＬ１は第２の対物レンズＯＬ２と（フォーカシング方向の）略同じ位置に位置する。引込範囲の狭い第１の対物レンズで対応すべき光ディスクＤ１が挿入された場合のみ、アクチュエータＡＣのフォーカシングコイルに粗動信号発生回路ＫＳから所定電流を通じ、光ディスクＤ１に所定量（０.５〜１ｍｍ程度）近づくように対物レンズＯＬ１を変位させ、そのときの対物レンズＯＬ１の位置が「第１の光ディスクＤ１にアクセスする場合のノミナル位置」となるようにアクチュエータＡＣの磁気回路を設計し、その位置を中心として第１の光ディスクＤ１対するファインフォーカシングを、微動信号発生回路ＫＢからの微動信号（フォーカシング信号）により行う。
【００３１】
図３は光ピックアップ装置の実施の別形態を示している。この形態においては、光ピックアップ装置の上部ケーシングＵＫの上面に段差があり、この段差は滑らかに繋がっている。第１のフォーカシング手段Ｆ１、第２のフォーカシング手段Ｆ２は、第１の光ディスクに対してアクセスが行なわれるときは、図３（ａ）に示すように共に「段差の上部」に位置する。このとき、第１のフォーカシング手段Ｆ１の位置する部位がアクセス位置である。
従って、第１の光ディスクへのアクセスは、図３（ａ）の状態で実行する。
【００３２】
第２の光ディスクにアクセスするときは、第１および第２のフォーカシング手段Ｆ１、Ｆ２を図３（ｂ）に示すように変位させ、第１のフォーカシング手段Ｆ１を段差の低部に移動させ、第２の光ディスクから退避させる。そして、第２のフォーカシング手段Ｆ２をアクセス位置に位置させる。この状態で対物レンズＯＬ２によりアクセスする。
【００３３】
図４は、光ピックアップ装置の他の形態を示している。
この実施の形態では、第１の対物レンズＯＬ１とそのフォーカシング手段（第１のフォーカシング手段  図示されず）と、第２の対物レンズＯＬ２とそのフォーカシング手段（第２のフォーカシング手段  図示されず）とを、変位ユニットＵＴとしてユニット化し、カムやギヤ等を用いた適宜の変位機構Ｍにより「変位ユニットＵＴ単位でフォーカシング方向（図の上下方向）に変位可能」としている。
【００３４】
図４（ａ）に示すように、第２の光ディスクＤ２にアクセスするときは、変位ユニットＵＴが、第２の対物レンズＯＬ２のＷＤに合わせて、光ディスクＤ２との距離を取られる。このとき、第１の対物レンズＯＬ１は光ディスクＤ２から十分離れて配置されるので、対物レンズＯＬ２の引込動作によって光ディスクＤ２と衝突することはない。
【００３５】
第１の光ディスクＤ１にアクセスするときは、変位機構Ｍにより変位ユニットＵＴが第１の光ディスクＤ１に向かって変位させられ、第１の対物レンズＯＬ１のＷＤに合わせて光ディスクＤ１との距離が取られる。この状態で光ディスクＤ１へのアクセスが行なわれる。
【００３６】
図１、図３、図４に即して説明した光ピックアップ装置は何れも、複数のフォーカシング手段を有し、１以上のフォーカシング手段と光ディスクＤ１、Ｄ２との相対距離を変化させる変位機構を有する（請求項１）。
【００３７】
上に説明した実施の各形態において、光ディスク挿入前は、引込範囲の狭い対物レンズ（高ＮＡの対物レンズ）ＯＬ１を搭載する第１のフォーカシング手段Ｆ１は光ディスク面から十分に退避した位置に配置される。
【００３８】
光ディスクが挿入されたら、まず、引込範囲の広い第２の対物レンズＯＬ２を搭載した第２のフォーカシング手段Ｆ２によりフォーカシング制御を行い、フォーカス信号の出方などを確認することにより光ディスク判別を行い、光ディスクが第２の光ディスクであるときはそのままアクセスする。
【００３９】
光ディスクが第１の光ディスクＤ１であると判別された場合には、対物レンズＯＬ１を搭載する第１のフォーカシング手段Ｆ１を光ディスクＤ１に近づけてアクセスを開始する。
【００４０】
光ディスクが取り出されるまでは基本的にその配置を維持するが、不測の事態（例えば光ディスクがクランパから外れた場合など）が生じた場合は、対物レンズを守るための緊急避難措置として、引込範囲の狭い対物レンズＯＬ１を搭載する第１のフォーカシング手段Ｆ１が回避状態をとることは考えられる。また、光ディスクが取り出される時は回避状態になる。
【００４１】
この回避状態とアクセス状態にはフォーカシング手段全体を移動させる移動機構が必要となる。フォーカシング動作の延長として対物レンズだけ移動させたのでは、アクチュエータのカバーなどが光ディスクに衝突する可能性があるからである。
【００４２】
図１の実施の形態では、第１のフォーカシング手段Ｆ１を変位させるようにしたが、逆に、第２のフォーカシング手段Ｆ２を変位させるようにしても良い。この場合には、光ディスク挿入前の各フォーカシング手段の位置として、引込範囲の広い第２の対物レンズと引込範囲の狭い第１の対物レンズの高さが略同程度となるか、または、第２の対物レンズの位置が光ディスク側にあるように設定しておく。
【００４３】
光ディスクが挿入されたら上記と同様、第２の対物レンズのフォーカシング動作を実行し、フォーカス信号の出方などの確認で光ディスクの種別を判別する。判別結果が第２の光ディスクであるときはそのままアクセスし、第１の光ディスクが判別されたときは、第２の対物レンズを搭載する第２のフォーカシング手段を光ディスクから遠ざけ、後述するように「光ディスクの位置を光ピックアップ装置に近接させる」か、「光ヒックアップ装置の方を光ディスクに近づける」かして、第１の対物レンズでアクセスを開始する。ディスクが取り出されるまでは基本的にその配置を維持する。
【００４４】
上に説明した光ピックアップ装置を用いて、複数種類の光ディスクに対し情報の記録・再生・消去の１以上を行う光情報処理装置（請求項３）を実現できる。
【００４５】
図５は請求項４記載の光情報処理装置としてのドライブ装置の１形態を示している。
光ディスクＤ１、Ｄ２はクランパＨＬに選択的にクランプされた状態で保持され、モータＭＴにより回転される。そして、光ピックアップ装置ＰＵによりアクセスされる。この実施の形態では、モータＭＴを固装された支持板２０にカム３０を係合させ、カム３０の回転によりモータＭＴを介して光ディスクＤ１、Ｄ２を回転軸方向（図の上下方向、即ち、フォーカシング方向）へ変位させることができるようになっている。
【００４６】
即ち、このドライブ装置は、複数種類の光ディスクに対し情報の記録・再生・消去の１以上を行う光情報処理装置であって、１以上のフォーカシング手段と光ディスクとの相対距離を変化させる変位機構として、光ピックアップ全体と光ディスク保持機構とのフォーカシング方向の相対的な距離を変化させる機構３０を有する。
【００４７】
光ディスクを保持するクランパ（光ディスクを載せるところ）を上下させる機構は、ローディング機構として従来技術として存在するので、これをそのまま利用することもできる。
【００４８】
別の例として、光ディスクを回転軸方向へ変位させるのに替えて、あるいは変位させるのと同時に、光ピックアップ装置ＰＵを支える機構を変位機構Ｔによりフォーカシング方向（図の上下方向）へ変位させるようにしてもよい。
【００４９】
現在も、光ディスクのローディング時に光ピックアップ装置が上下して「ローディング機構との干渉を回避」する機構が採用されているが、それと同様のギヤなどを利用し、光ピックアップ装置をアクセスする光ディスクにより決まった位置に変位させることができる。
【００５０】
光ディスクが挿入されるときは、引込範囲の広い第２の対物レンズが光ディスクにアクセスする位置に光ピックアップ装置を配置し、フォーカス信号の出方などを確認することにより光ディスクの判別を行い、光ディスクＤ２が判別されたときはそのままアクセスし、引込範囲の狭い第１の対物レンズで対応すべき光ディスクＤ１が判別された場合は、第１の対物レンズが光ディスクＤ１にアクセスする位置に光ピックアップ装置を配置して光ディスクＤ１に近づけ、第１の対物レンズでアクセスを開始する。光ディスクが取り出されるまでは基本的にその配置を維持する。
【００５１】
【発明の効果】
以上に説明したように、この発明によれば新規な光ピックアップ装置および光情報処理装置を実現できる。この発明の光ピックアップ装置は、ＷＤが大きく異なる対物レンズを切換えてアクセスを行なっても、ＷＤの大きい対物レンズによるアクセス時に、ＷＤの小さい対物レンズやそのフォーカシング手段が光ディスクに衝突することが無いので、光ディスクや対物レンズを傷つけることがなく、信頼性が高い。この発明の光情報処理装置は、上記光ピックアップ装置を用いるので光ディスクや対物レンズを傷つけることが無く、信頼性が高い。
【図面の簡単な説明】
【図１】光ピックアップ装置の、実施の１形態を説明するための図である。
【図２】光ピックアップ装置の、実施の別形態を特徴部分のみ示す図である。
【図３】光ピックアップ装置の、実施の他の形態を特徴部分のみ示す図である。
【図４】光ピックアップ装置の、実施の他の形態を特徴部分のみ示す図である。
【図５】光情報処理装置の、実施の１形態を説明するための図である。
【符号の説明】
Ｆ１      第１のフォーカシング手段
Ｆ２      第２のフォーカシング手段
【図１】
0004672954.tif 000002
【図２】
0004672954.tif 000003
【図３】
0004672954.tif 000004
【図４】
0004672954.tif 000005
【図５】
0004672954.tif 000006